(57)【要約】【課題】  ノートＰＣをデスクトップＰＣの代わりに使用する場合、ＡＣアダプターが常に接続されており、リチウムイオン二次電池パック駆動で使用するのはまれである。よって、リチウムイオン二次電池パックは満充電近くの高い残容量を維持している。その状態において再充電ポイントが固定であると、再充電ポイントと満充電のサイクルが繰り返されため、長寿命を保持できない。【解決手段】  ＡＣアダプター接続時に電池パックの自己放電のみで、再充電ポイントを検出した場合、次回から再充電ポイントを１〜５％刻みで減少させる。これによって、電池にとって劣化が著しい高い残容量状態を維持することを使用用途を鑑みながら積極的に避けることができ、劣化を防止し、より長寿命化をはかることができる。【選択図】  図２ 
2005294141.tif 000002
【特許請求の範囲】
【請求項１】
リチウムイオン二次電池の残容量を推定して残容量が満充電容量から再充電ポイント以下になると充電を開始するリチウムイオン二次電池パックの充電制御方法において、
満充電状態から放電データを収集するステップと、
前記放電データから得られた残容量と前記再充電ポイントとを比較するステップと、
前記再充電ポイント以下でありリチウムイオン二次電池パックの使用時の電流検出が無い場合に前記再充電ポイントを減少させるステップと、
を有するリチウムイオン二次電池パックの充電制御方法。
【請求項２】
再充電ポイント以下でありリチウムイオン二次電池パックの使用時の電流検出がある場合に前記再充電ポイントをリセットさせる請求項１記載のリチウムイオン二次電池パックの充電制御方法。
【請求項３】
再充電ポイントを減少させる割合を１〜５％とする請求項１記載のリチウムイオン二次電池パックの充電制御方法。
【請求項４】
再充電ポイントの最小ポイントを８０〜３０％までの任意の値とする請求項２記載のリチウムイオン二次電池パックの充電制御方法。
【発明の詳細な説明】
【技術分野】
【０００１】
本発明は、リチウムイオン二次電池パックの充電制御方法に関するものであり、より詳しくはそのリチウムイオン二次電池パックの再充電ポイント減少に関するものである。
【背景技術】
【０００２】
ノートＰＣに用いるリチウムイオン二次電池パックは、マイコンを用いた残容量表示機能を有している。その機能としてサイクル使用時の容量劣化を防ぎ長寿命化するため、満充電から次に充電を許可するまでの間にヒステリシスを設け、その間における再充電を許可しないようにしている。これにより、満充電付近での繰り返し充電を避けるようにしている。（例えば特許文献１参照）
【特許文献１】特開２０００−１２１７１０号公報
【発明の開示】
【発明が解決しようとする課題】
【０００３】
しかしながら、ノートＰＣをデスクトップ代わりに使用される場合が少なからずある。ノートＰＣをデスクトップＰＣの代わりに使用する場合、ＡＣアダプターが常に接続されており、リチウムイオン二次電池パックの駆動で使用するのは稀である。よって、リチウムイオン二次電池パックは満充電近くの高い残容量を維持している。その状態において再充電ポイントが固定であると、再充電ポイントから満充電の充電サイクルが繰り返されるため、リチウムイオン二次電池において劣化の著しく高い残容量を維持することになり長寿命を保持できない。
【０００４】
本発明は、前記従来の課題を解決するもので、電池の劣化を防止し、より長寿命化をはかることができるリチウムイオン二次電池パックを提供することを目的とする。
【課題を解決するための手段】
【０００５】
上記目的を達成するために、本発明のリチウムイオン二次電池パックの充電制御方法は、リチウムイオン二次電池の残容量を推定して残容量が満充電容量から再充電ポイント以下になると充電を開始するリチウムイオン二次電池パックの充電制御方法において満充電状態から放電データを収集するステップと前記放電データから得られた残容量と前記再充電ポイントとを比較するステップと前記再充電ポイント以下でありリチウムイオン二次電池パックの使用時の電流検出が無い場合に前記再充電ポイントを減少させるステップとを有することを特徴とするものである。
【０００６】
本構成によって、電池の劣化を防止し、より長寿命化をはかることができる。
【０００７】
また、本発明のリチウムイオン二次電池パックの充電制御方法は、再充電ポイント以下でありリチウムイオン二次電池パックの使用時の電流検出がある場合に前記再充電ポイントをリセットさせることを特徴とするものである。
【０００８】
本構成によって、リチウムイオン二次電池パック駆動でノートＰＣをよく使用する場合に多くの残容量を確保することができる。
【０００９】
また、本発明のリチウムイオン二次電池パックの充電制御方法は、再充電ポイントを減少させる割合を１〜５％とするものである。
【００１０】
本構成によって、再充電ポイントの急激な減少を防ぐことができることによりユーザー
の使用環境を急激に変化させることなく、ユーザー使用状況に鑑みながら再充電ポイントの減算ができる。
【００１１】
また、本発明のリチウムイオン二次電池パックの充電制御方法は、再充電ポイントの最小ポイントを８０〜３０％までの任意の値とするものである。
【００１２】
本構成によって、リチウムイオン二次電池パック駆動で使用する場合のユーザーが求める残容量を確保しつつ、ユーザーの使用環境に応じた設定ができるので、できる限りの劣化防止をはかることができる。
【発明の効果】
【００１３】
本発明のリチウムイオン二次電池パックの充電制御方法によれば、満充電付近の繰り返し充電を避けることにより電池の劣化を防止し、より長寿命化をはかることができる。
【発明を実施するための最良の形態】
【００１４】
以下本発明を実施するための最良の形態について、図面を参照しながら説明する。本実施の形態では、再充電ポイント設定の手段について説明する。図１に本実施の形態の電池管理装置を示す。電池管理装置１は、複数の単電池からなる組電池２と一体化されて電池パック３を構成している。電池パック３は、機器本体４に接続されていて、組電池２の出力により機器本体４を駆動する。電圧検出手段５は、組電池２およびそれを構成する単電池の出力電圧をそれぞれ検出する。電流検出手段６は、電流検出抵抗７によって流れる電流を検出する。制御部８は、電圧検出手段５および電流検出手段６によって検出された情報に基づいて、通信手段９を介して機器本体４に制御信号を発する。制御信号によって機器本体４は充電や放電を制御する。
【００１５】
図２は、再充電ポイント設定手段のフローチャートである。まず、満充電状態において前記の電流検出手段６によって放電データを収集し、制御部８で充電状態を計算し、その充電状態と初期の再充電ポイントを比較する。再充電ポイントを下回るまで定期的（例えば、１時間ごと）に比較を繰り返す。再充電ポイントを下回ったとき、それまでの放電データが使用電流（例えば、１Ａ）を上回っていれば、次の再充電ポイントをリセットして初期値に戻し、充電を開始し満充電状態まで充電する。リチウムイオン二次電池パックの使用電流が無ければ、再充電ポイントを３％減らして充電を開始し、満充電状態まで充電する。再充電ポイントは、最小値を設ける。これは、実使用上の使用時間が短くなり過ぎないようにするためである。また、この値は、初期値を８０％として、ユーザーが最適な値を８０〜３０％の間で任意に設定できるようにする。８０％に設定すれば、リチウムイオン二次電池パック駆動での使用時間は長いが劣化は相対的に大きい。３０％に設定すれば、使用時間は短いが劣化は相対的に小さくなる。
【００１６】
また、サイクルごとに再充電ポイントを減算させるのは、使用者の使用状況を鑑みながら再充電ポイントを設定するためである。例えば、常時デスクトップＰＣ代わりにノートＰＣ使用しているユーザーは、常にＡＣアダプターを接続している。この場合は、再充電ポイントが徐々に減算され、最終的には再充電ポイントの最小値から満充電状態の充電を繰り返すことによりリチウムイオン二次電池パックの劣化が少なくなる。よって、ユーザーのリチウムイオン二次電池パックの使用期間を伸ばすことができる。しかし、稀にリチウムイオン二次電池パック駆動でノートＰＣを使用する人にとっては、再充電ポイントが一度に大きく減ることは残容量を確保するという観点から好ましくない。よって、１〜５％の減算が好ましい。
【００１７】
図３に実際に１〜５％の上記の再充電ポイントを減算させる充電制御と再充電ポイントを９５％に固定での容量の劣化の実施例を示す。図３から６ヵ月後の従来の充電制御方法
での残容量は約９０％であるのに対して、本発明の制御方法での残容量は約９５〜９４％であり有意である。
【産業上の利用可能性】
【００１８】
本発明にかかるリチウムイオン二次電池パックの充電制御方法は、満充電付近の繰り返し充電を避けることにより電池の劣化を防止し、より長寿命化をはかることができるので、ノートＰＣ用の充電制御方法に用いると有用である。
【図面の簡単な説明】
【００１９】
【図１】本発明の一実施例の電池管理装置の構成を示す概略したブロック図
【図２】同電池管理装置の制御フローチャート
【図３】本発明の一実施例を示す図
【符号の説明】
【００２０】
１   電池管理装置
２   組電池
３   電池パック
４   機器本体
５   電圧検出手段
６   電流検出手段
７   電流検出抵抗
８   制御部
９   通信手段
【図１】
2005294141.tif 000003
【図２】
2005294141.tif 000004
【図３】
2005294141.tif 000005